(57)【要約】【課題】  捕虫機は、単に、捕虫を主体としており、充分に活用されず、灯火も、通常の蛍光灯、又は電球等の光源であり、害虫の誘因性、耐久性の欠如が指摘されていた。従って、捕虫以外に、他の機能を付加した多目的で、有意義な進化した捕虫機が要望され、害虫の誘因性、耐久性を備えた捕虫機が強く要望されているのが現況である。【構成】  ファン用のモータを囲繞する誘導用のＬＥＤでなる灯火と、灯火の下方に設けたファンと、ファンの下部に設けた誘導筒体と、誘導筒体の下方に設けた円筒形状のダクトと、ダクトの下端自由縁部に設けた捕虫袋とで、ダクトを、空気の撹拌用、整流用の通路として利用するために、管状で、かつ、所定の長さを有し、捕虫袋を、椀形に形成する。【選択図】      図１
2009195208.tif 000002
【特許請求の範囲】
【請求項１】
屋外のポール、建屋の柱・梁等の支柱に吊架される汎用形の撹拌機能付き捕虫機であって、
この捕虫機は、ファン用のモータを囲繞するように設けた誘導用のＬＥＤでなる灯火と、この灯火の下方に設けたファンと、このファンの下部に設けた誘導筒体と、この誘導筒体の下方に設けた円筒形状のダクトと、このダクトの下端自由縁部に設けた捕虫袋とで構成した撹拌機能付き捕虫機であって、
前記ダクトを、空気の撹拌用の通路、及び／又は整流用の通路として利用するために、管状で、かつ、所定の長さを有する構造とし、
前記捕虫袋を、椀形に形成したことを特徴とする撹拌機能付き捕虫機。
【請求項２】
請求項１に記載の撹拌機能付き捕虫機であって、
この誘導筒体の上方を、ベルマウス形状とする構成としたことを特徴とする撹拌機能付き捕虫機。
【請求項３】
請求項１に記載の撹拌機能付き捕虫機であって、
このダクト内に、整流翼体を設ける構成としたことを特徴とする撹拌機能付き捕虫機。
【請求項４】
請求項１に記載の撹拌機能付き捕虫機であって、
この捕虫袋は、前記ダクトからの整流空気を拡散することを意図し、硬質網体とする構成としたことを特徴とする撹拌機能付き捕虫機。
【請求項５】
請求項１に記載の撹拌機能付き捕虫機であって、
この誘導筒体と、ダクト及び／又は捕虫袋を、着脱自在とする構成としたことを特徴とする撹拌機能付き捕虫機。
【発明の詳細な説明】
【技術分野】
【０００１】
本発明は、捕虫機の周辺空気に、循環式の対流を付与できる撹拌機能付き捕虫機（循環式捕虫機）に関する。
【背景技術】
【０００２】
従来、捕虫機は、単に、捕虫を主体とすることから、充分に活用されていないこと、また灯火も、通常の蛍光灯、又は電球等の光源であることから、害虫の誘因性及び／又は耐久性の欠如が指摘されていた。従って、捕虫以外に、他の機能を付加した多目的で、有意義な進化した捕虫機が要望されることと、害虫の誘因性及び／又は耐久性を備えた捕虫機が強く要望されているのが現況である。
【０００３】
以上のような要望に応え得る捕虫機の構造を、先行文献から検討すると、次のような複数の文献が挙げられるので、以下、説明する。
【０００４】
文献（１）は、実用新案登録第３１３６４２３号の「害虫捕獲器」である。この考案は、筐体（本体ケース）内に、光源と、誘引された害虫及び筐体内の空気を取込む筒状ケースに取付けた捕虫袋と、前記害虫及び空気を、前記捕虫袋内に吸引する吸引手段と、捕虫袋を通過した空気を、筐体の内面に沿って循環させる空気循環手段と、スイッチ手段と、筒状ケースの開口部に設けられたシャッタ手段とで構成し、害虫を吸引手段により効率よく捕獲するとともに、この吸引手段の送風力のみで空気を循環させることで、運転時の消費電力も少なくすること等を意図する。しかし、この考案は、明細書に記載の如く、食品加工所や飲食店、工場、量販店、コンビニ等の施設に侵入すると不衛生となる害虫の捕獲を意図するものであり、小型の建屋（施設）に最適で、コンプレッサー等の動力源を要さない、経済的な捕獲機を提供するに留まり、その利用分野が限定されるものと、考えられる。
【０００５】
また文献（２）は、実開平７−２８３７４号の「捕虫機の捕虫袋構造」である。この考案は、ポール、建造物に吊架される捕虫機の捕虫袋構造であり、この捕虫袋構造は、誘引灯を備え、ファンを内装してなる筒体を有し、この筒体に取付けられる収れん構造の網体と、網体の下端に設けた連結筒と、連結筒に着脱自在に設けられた捕虫袋とで構成し、果樹園、圃場、その他農地等に立設されたポール等に、簡易かつ確実に、低所より吊架できる捕虫機の捕虫袋構造を提供することを意図する。しかし、この考案は、捕虫袋の交換の容易化を図り、低所よりの取扱の簡易化、捕虫機の多目的機能を発揮するには、必ずしも、充分とは、云えないものと考えられる。
【０００６】
さらに文献（３）は、特開２００７−７４９０８の「誘虫装置および捕虫器」である。この発明は、捕虫器を、誘虫用光源から照射される、波長が３００ｎｍ以上で、かつ４００ｎｍ以下の紫外光を照射する誘虫用のＬＥＤを内部に収納し、かつ下面が開口した誘虫装置本体と、誘虫装置本体の開口に取着された透光性のカバーと、カバーの一部に形成され、かつＬＥＤからの紫外光を受けて活性酸素を発生し、有機物の結合を分解することによって、二酸化炭素を発生させる光触媒膜でなる誘虫装置と、粘着性の捕虫シートを用いた捕虫装置とで構成し、この紫外光を受けて光触媒が二酸化炭素を発生させ、走光性を有する虫に加えて、二酸化炭素に反応する吸血性の虫を、紫外光と二酸化炭素の両方で誘引し、誘虫効果を高めた誘虫装置を実現でき、また、吸血性の虫が光の届かない場所にいる場合でも二酸化炭素で誘引できるため、誘虫効果をさらに向上させることができる。しかし、この発明は、誘虫用光源により波長の中で、所定の紫外光を有効利用し、かつこの紫外光を受けて光触媒が発生する二酸化炭素の利用で、誘虫効果をさらに向上させるに留まるので、全ての害虫の捕獲には、問題があること、又は捕虫機の多目的機能を発揮するには、必ずしも、充分とは、云えないものと考えられる。
【０００７】
さらに文献（４）は、特開２００３−７０４０２の「捕虫器」である。この発明は、捕虫器を、捕虫器本体の壁面に、発光波長ピークが約３３０ｎｍ〜約４２０ｎｍの範囲内のＬＥＤ及び／又は約４５０ｎｍ〜約５２０ｎｍの範囲内の紫外線ＬＥＤを設け、また本体のベースに、略水平方向に捕獲手段としての捕虫紙と、カバーを被せ、カバーには透明なアクリル樹脂に紫外線を受けて青色に発光する蛍光材料を混入した構成とし、紫外線ＬＥＤで誘引した害虫を、青色の蛍光を発するカバーにとまり、その後、転落して捕虫紙で捕獲する構成とし、紫外線ＬＥＤは、小型で消費電力が小さく、かつ寿命が長くなり、低コスト化が可能となること、また、電源を乾電池とし、携帯用として役立てること、等を意図する。しかし、この発明も、前述の文献（３）と、略同様な改良点が考えられる。
【０００８】
【特許文献１】実用新案登録第３１３６４２３号
【特許文献２】実開平７−２８３７４号
【特許文献３】特開２００７−７４９０８
【特許文献４】特開２００３−７０４０２
【発明の開示】
【発明が解決しようとする課題】
【０００９】
前述した文献（１）〜文献（４）は、［背景技術］の欄で記載したような改良点が挙げられるのに対し、本発明は、以下の特徴を発揮することを目的とする。
［Ａ］  誘導筒体の下方に、円筒形状のダクトを垂下し、ファンからの風を利用し、このダクトに吸込んだ空気を、整流空気として、捕虫袋から排気する循環ルートを形成する構造とすることで、この捕虫機に、撹拌機能を付与する。
［Ｂ］  灯火に、ＬＥＤ（発光ダイオード）を使用し、省電力と、耐久性の向上（長寿命化）と、メンテナンスフリーとを図る。そして、また、ＬＥＤの指向性を利用し、誘引光の拡散と、害虫の誘引効果の拡充を図る。
［Ｃ］  前述のダクト内の整流翼体で生成される整流空気の利用、及び／又は捕虫袋を椀形とすることで、ハウスにおける捕虫かつ撹拌装置としての役割を図る。この空気の撹拌を利用し、ハウスの葉面境界層を破壊し、光合成（炭酸ガスの吸収）の促進を図る。さらにハウス内の温度の均一化と、作物全体に、略均一な生育環境を提供できる。
［Ｄ］  この撹拌機能付きの捕虫機は、ポール、又は建屋の柱・梁等の支柱への吊架を介して、簡易かつ速やかに設置できる。
［Ｅ］  各構成部品を、取外し、かつ取付け自在（着脱自在）にすることで、清掃の簡便化、交換の容易化と、又はメンテナンスフリーを図る。
【課題を解決するための手段】
【００１０】
請求項１の発明は、前述の特徴である［Ａ］〜［Ｄ］を、確実に達成することを意図する。
【００１１】
請求項１は、屋外のポール、建屋の柱・梁等の支柱に吊架される汎用形の撹拌機能付き捕虫機であって、
この捕虫機は、ファン用のモータを囲繞するように設けた誘導用のＬＥＤでなる灯火と、この灯火の下方に設けたファンと、このファンの下部に設けた誘導筒体と、この誘導筒体の下方に設けた円筒形状のダクトと、このダクトの下端自由縁部に設けた捕虫袋とで構成した撹拌機能付き捕虫機であって、
前記ダクトを、空気の撹拌用の通路、及び／又は整流用の通路として利用するために、管状で、かつ、所定の長さを有する構造とし、
前記捕虫袋を、椀形に形成したことを特徴とする撹拌機能付き捕虫機である。
【００１２】
請求項２の発明は、前述の特徴である［Ａ］〜［Ｄ］を、確実に達成することを意図する。
【００１３】
請求項２は、請求項１に記載の撹拌機能付き捕虫機であって、
この誘導筒体の上方を、ベルマウス形状とする構成としたことを特徴とする撹拌機能付き捕虫機である。
【００１４】
請求項３の発明は、前述の特徴である［Ａ］、［Ｃ］を、確実に達成することを意図する。
【００１５】
請求項３は、請求項１に記載の撹拌機能付き捕虫機であって、
このダクト内に、整流翼体を設ける構成としたことを特徴とする撹拌機能付き捕虫機である。
【００１６】
請求項４の発明は、前述の特徴である［Ａ］、［Ｃ］を、確実に達成することを意図する。
【００１７】
請求項４は、請求項１に記載の撹拌機能付き捕虫機であって、
この捕虫袋は、前記ダクトからの整流空気を拡散することを意図し、硬質網体とする構成としたことを特徴とする撹拌機能付き捕虫機である。
【００１８】
請求項５の発明は、前述の特徴である［Ｄ］、［Ｅ］を、確実に達成することを意図する。
【００１９】
請求項５は、請求項１に記載の撹拌機能付き捕虫機であって、
この誘導筒体と、ダクト及び／又は捕虫袋を、着脱自在とする構成としたことを特徴とする撹拌機能付き捕虫機である。
【発明の効果】
【００２０】
請求項１の発明は、屋外のポール、建屋の柱・梁等の支柱に吊架される汎用形の撹拌機能付き捕虫機であって、
捕虫機は、ファン用のモータを囲繞するように設けた誘導用のＬＥＤでなる灯火と、灯火の下方に設けたファンと、ファンの下部に設けた誘導筒体と、誘導筒体の下方に設けた円筒形状のダクトと、ダクトの下端自由縁部に設けた捕虫袋とで構成した撹拌機能付き捕虫機であって、
ダクトを、空気の撹拌用の通路、及び／又は整流用の通路として利用するために、管状で、かつ、所定の長さを有する構造とし、
捕虫袋を、椀形に形成したことを特徴とする撹拌機能付き捕虫機である。
【００２１】
従って、請求項１は、前述の特徴である［Ａ］〜［Ｄ］を、確実に達成できる。
【００２２】
請求項２の発明は、請求項１に記載の撹拌機能付き捕虫機であって、
誘導筒体の上方を、ベルマウス形状とする構成としたことを特徴とする撹拌機能付き捕虫機である。
【００２３】
従って、請求項２は、前述の特徴である［Ａ］〜［Ｄ］を、確実に達成できる。
【００２４】
請求項３の発明は、請求項１に記載の撹拌機能付き捕虫機であって、
ダクト内に、整流翼体を設ける構成としたことを特徴とする撹拌機能付き捕虫機である。
【００２５】
従って、請求項３は、前述の特徴である［Ａ］、［Ｃ］を、確実に達成できる。
【００２６】
請求項４の発明は、請求項１に記載の撹拌機能付き捕虫機であって、
捕虫袋は、ダクトからの整流空気を拡散することを意図し、硬質網体とする構成としたことを特徴とする撹拌機能付き捕虫機である。
【００２７】
従って、請求項４は、前述の特徴である［Ａ］、［Ｃ］を、確実に達成できる。
【００２８】
請求項５の発明は、請求項１に記載の撹拌機能付き捕虫機であって、
誘導筒体と、ダクト及び／又は捕虫袋を、着脱自在とする構成としたことを特徴とする撹拌機能付き捕虫機である。
【００２９】
従って、請求項５は、前述の特徴である［Ｄ］、［Ｅ］を、確実に達成できる。
【発明を実施するための最良の形態】
【００３０】
本発明の一例を説明する。
【００３１】
図面の説明をすると、図１は捕虫機全体の側面図、図２は誘導筒体の俯瞰図、図３はダクトを一部欠截し、整流翼体を示した俯瞰図、図４は捕虫袋の俯瞰図、図５は誘導筒体とダクトの連繋の一例を示した要部の拡大正面図、図６は灯火の設置方法と灯火による光の流れの一例を示した拡大正面図である。
【００３２】
図中１は汎用形の捕虫機Ａを吊架する支持杆で、この支持杆１を介して、この捕虫機Ａを屋外のポール、建屋の柱・梁等の支柱Ｐに吊架する。そして、この支持杆１は、ファン２の下部に設け、上方をベルマウス３ａ形状とした誘導筒体３に固止されている。また、この誘導筒体３は筒形状で、その上下端が開放されて、上方開口３ｂ、下方開口３ｃとなっている。尚、このベルマウス３ａは、空気の取り込みと、害虫の誘導に役立つ特徴を有する。このベルマウス３ａは、設けることが望ましいが、限定されない。尚、この誘導筒体３の形状は、筒体以外にも、収れん形状、絞込み形状等の形状が考えられる。
【００３３】
この誘導筒体３の上方開口３ａには、ファン２用のガード５と、このカード５の上に立設した枠体６を介して、害虫を誘引するための誘導用のＬＥＤでなる灯火７が、積み上げ式に、順次設けられている。この灯火７の中心空間Ｓにファン２用のモータ８を設け、長さ方向（長手方向）の寸法を小さくする。この寸法の狭小化を介して、全体の立上り寸法を小さくし（低寸法化）、その取扱の容易化と、設置スペースの狭小化と、後述するダクト１０、捕虫袋等の着脱の容易化を図ることが望ましい。尚、この灯火７は、ＬＥＤであるため、長寿命であり、その発光性、耐光性等に優れており、また、視認性が良好で使用用途が幅広く、環境保全、省エネにも寄与することができ、枠体６内部に設置するため、破損、故障等の危険も回避・軽減でき、取替えを行う手間等の軽減等が図れる。
【００３４】
また、前記灯火７は、枠体６の環状壁面に開設した複数個の孔６ａに設け、かつＬＥＤの指向性（水平方向への指向性）を利用し、誘引光の拡散と、害虫の誘引効果の拡充を図る。また人の目及び／又は人体への有害性を解消する。図中にコード６ｂと、端子６ｃを示す。そして、この枠体６は、モータ８を囲繞する構造を採用することで、低寸法化および小型化を達成する。また、この灯火７の拡散性の向上を図るために、図６の如く、灯火７を固定部材に設け、また、この固定部材に設けた封止部材８ａと、反射部８ｂとで、灯火７を囲繞し、方向性及び／又は拡散性を確保する構造も可能であり、多様な使用と、捕虫が可能となる。図中８ｃはカバー板を示す。この図において、矢印は、光りの流れを示している。
【００３５】
尚、前記支持杆１をガード５に設け、前記誘導筒体３に設けるより、吊架する位置を高くし、その取扱の容易化と、設置スペースの狭小化、着脱がスムーズに行えること等の効果も図ることも可能である。
【００３６】
この誘導筒体３には、着脱自在に円筒形状のダクト１０が、略水密状に設けられており、このダクト１０は、空気の撹拌用の通路、及び／又は整流用の通路として利用するために、管状で、かつ、所定の長さＬを有する構造とすることが必須である。尚、この所定の長さＬは、そのダクト１０を通過する空気の撹拌用の通路、及び／又は整流用の通路となるため、必要である。そして、この着脱自在の構造としては、図５に示す如く、ダクト１０に複数の倒Ｌ形の切溝１００を形成し、誘導筒体３に複数の突起３０を設ける。この構造を利用して、例えば、ダクト１０内に、誘導筒体３の突起３０を絞込み及び／又はスリット等を介して、絞り込んだ状態で差込むとともに、この誘導筒体３に設けた突起をダクト１０の切溝１００の水平箇所（水平状態）に差し込むように、ダクト１０を誘導筒体３に嵌合する（嵌挿する）。その後、ダクト１０を回転し、突起３０を切溝１００の鍵箇所１００ａに引掛けて固定することで、このダクト１０を誘導筒体３に吊架（固定）する構造である。また、図示しないが、蝶番等の抱持具を使用することも可能であり、螺着、ベルト止め、圧嵌等の吊架方法も可能である。尚、ダクト１０は、軸方向において、拡縮可能とし、捕虫機Ａの立上寸法調整により、狭小化と、汎用性と、多目的に対応できる特徴がある。尚、その他の例として、図面には記載しないが、誘導筒体３に倒Ｌ形の切溝を、ダクト１０に突起を形成する場合もある。尚、倒Ｌ形の切溝１００の鍵箇所１００ａを円形にすることも可能であり、突起３０が確実を吊架（固定）できる役割を果たせば、限定されない。
【００３７】
図中１２は捕虫袋である椀形の硬質網体で、この硬質網体１２はベルト１４とバックル１５を備えている（固止されている）。従って、この硬質網体１２は、ベルト１４とバックル１５を介して、ダクト１０の下側に着脱自在に設けられる構造である。この捕虫袋を椀形の硬質網体１２とする効果は、ダクト１０で生成される整流空気Ｃを、機外に誘導すること、この誘導を介して、ダクト１０での整流の生成に、より寄与すること、また、撹拌装置としての役割が図れること等にある。さらに、この硬質網体１２の形状を、椀形とすることで、図示しないハウスにおける捕虫の効率化と、捕虫機Ａの狭小化が図れること、捕獲した虫の捕虫袋への効率的な誘導が図れること、等の実益がある。そして、この捕虫袋は、ネット形状の軟質網体でも可能であるが、最も望ましいのは、前述の椀形の硬質網体１２がよい。尚、ベルト１４とバックル１５以外にも、硬質網体を確実に抱持でき、着脱を容易に行うことができるのであれば、紐や、帯等の矜持手段と、この矜持手段を係止する係止手段を備えれば、その構造（部材）は、限定されない。
【００３８】
図中２０は整流翼体で、この整流翼体２０は、ダクト１０に内装されており、その場所は限定されないが、吸込んだ空気に、整流効果を付与（整流空気Ｃの生成）するために、ダクト１０の横断中心（長さＬの中心位置）より下側に設けることが望ましい。また、必要により、この整流翼体２０は、取付け位置を移動することも可能であり、回転可能（自転式の回転か、駆動式の回転とする）とし、整流効果の拡充と、捕獲した虫の付着防止、清掃の簡便化、交換の容易化と、又はメンテナンスフリーを図ることも可能である。この整流効果及び／又は整流空気Ｃ（捕虫機Ａで生成する）は、ハウスにおける空気の撹拌装置としての役割を担うこと、この撹拌を利用し、ハウスで生息する作物の葉面境界層の破壊と、かつ葉緑体の気孔の閉塞回避を図り、もって、光合成及び／又は炭酸同化作用の促進を図ること、さらに、この農事栽培ハウス内の温度の均一化と、作物全体に、略均一な生育環境を提供することができる。尚、図示しないが、茸の栽培でも、この捕虫機は採用できるので、例えば、酸素の供給の促進と、茸栽培ハウス内の温度の均一化と、作物全体に、略均一な生育環境を提供できる。
【００３９】
次に、本発明の捕虫機Ａと、外気の吸込み、並びに空気の流れ（循環及び／又は撹拌・整流）に関して、説明する。
【００４０】
この捕虫機Ａ周辺部に滞留（浮遊）する外気は、モータ８を介して、ファン２を回転し、誘導筒体３のベルマウス３ａより、吸気される。この外気の吸気量は、前記ベルマウス３ａの開口の面積・形状、ファン２の回転数により、変化するものであり、気温、害虫の発生状況、周辺環境に対応して、対処する。また、このファン２の吸込により、外気とともに、害虫も吸い込まれる。
【００４１】
そして、このベルマウス３ａより吸い込まれた空気は、誘導筒体３の上方開口３ｂより誘導筒体３内→下方開口３ｃ→ダクト１０へと誘導される。このダクト１０へと誘導された空気は、ダクト１０内に配備した整流翼体２０の自走回転又は駆動回転により、ダクト１０内で整流（撹拌）空気Ｃとなる。そして、この整流空気Ｃは、捕虫機Ａの下方に設置された硬質網体１２より、網体の網の隙間を通過して、その機外へと排出される。害虫は、この整流翼体２０により生成された整流空気Ｃとともに、硬質網体１２へと誘導されるが、硬質網体１２により補虫される。この硬質網体１２の網目の形状は、害虫の大きさに応じて変化する。
【００４２】
前記捕虫機Ａ外に排出された空気は、捕虫機Ａ周辺部に滞留（浮遊）する空気と混合（ミキシング空気となる）して、再度ベルマウス３ａへと誘導されることから、この新しい空気の流れ及び／又は誘導されたミキシング空気の流れ、即ち、捕虫機Ａの内外面全体の上下方向において、循環ルートを形成する構造である。従って、この捕虫機Ａは、空気の撹拌機能として作用し、例えば、前述の如く、ハウスの葉面境界層の破壊と、葉緑体の気孔の閉塞回避を図り、光合成及び／又は炭酸同化作用の促進を図り、かつ農事栽培ハウス内の温度の均一化と、作物全体に、略均一な生育環境を提供できる。また、茸の栽培でも、この捕虫機Ａは採用できるので、酸素の供給の促進と、茸栽培ハウス内の温度の均一化と、作物全体に、略均一な生育環境を提供できる。
【００４３】
尚、前述したように、ダクト１０の長さＬを調整することにより、この循環ルートの流れをミキシング空気の吸込量を選択することができ、その外気と複合的（ミキシング空気の混入）に行うか、又は図示しない遮蔽部材等を介して、その外気のみの導入によるか、を調整することができる。
【図面の簡単な説明】
【００４４】
【図１】図１は全体の側面図
【図２】図２は誘導筒体の俯瞰図
【図３】図３はダクトを一部欠截し、整流翼体を示した俯瞰図
【図４】図４は捕虫袋の俯瞰図
【図５】図５は誘導筒体とダクトの連繋の一例を示した要部の拡大正面図
【図６】図６は灯火の設置方法と灯火による光の流れの一例を示した拡大正面図
【符号の説明】
【００４５】
１          支持杆
２          ファン
３          誘導筒体
３ａ        ベルマウス
３ｂ        上方開口
３ｃ        下方開口
３０        突起
５          ガード
６          枠体
６ａ        孔
６ｂ        コード
６ｃ        端子
７          灯火
８          モータ
８ａ        封止部材
８ｂ        反射部
８ｃ        カバー板
１０        ダクト
１００      切溝
１００ａ    鍵箇所
１２        硬質網体
１４        ベルト
１５        バックル
２０        整流翼体
Ａ          捕虫機
Ｃ          整流空気
Ｐ          支柱
Ｓ          中心空間
Ｌ          長さ
【図１】
2009195208.tif 000003
【図２】
2009195208.tif 000004
【図３】
2009195208.tif 000005
【図４】
2009195208.tif 000006
【図５】
2009195208.tif 000007
【図６】
2009195208.tif 000008